(57)【要約】【課題】不審者に入室を強制された際に不審者に気付かれることなく警報を送信することができる入退室管理システムを提供する。【解決手段】入退室管理システムは、管理領域の出入口から前記管理領域の内部にある部屋の出入口までの間に設定された異常経路に設けられた異常経路読取装置と、前記異常経路読取装置が識別体から情報を受信した際にセンタ装置へ警報を送信する警報装置と、を備えた。当該構成により、不審者に入室を強制された際に不審者に気付かれることなく警報を送信することができる。【選択図】図２
2015184720.tif 000002
【特許請求の範囲】
【請求項１】
管理領域の出入口から前記管理領域の内部にある部屋の出入口までの間に設定された異常経路に設けられた異常経路読取装置と、
前記異常経路読取装置が識別体から情報を受信した際にセンタ装置へ警報を送信する警報装置と、
を備えた入退室管理システム。
【請求項２】
前記管理領域の出入口に対応して設けられた領域読取装置と、
前記部屋の出入口に対応して設けられた管理読取装置と、
を備え、
前記異常経路読取装置は、
前記異常経路において前記領域読取装置よりも前記管理読取装置の側に設けられた振動制御読取装置と、
前記異常経路において前記振動制御読取装置よりも前記管理読取装置の側に設けられた警報制御読取装置と、
を備え、
前記警報装置は、前記振動制御読取装置が識別体から情報を受信した際に前記識別体の振動部を振動させ、前記警報制御読取装置が識別体から情報を受信した際に前記センタ装置へ警報を送信する請求項１に記載の入退室管理システム。
【請求項３】
前記警報装置は、前記振動制御読取装置が識別体から情報を受信した際に前記識別体の振動部を振動させた後に前記識別体の操作部が操作された場合に、前記センタ装置へ警報を送信しない請求項２に記載の入退室管理システム。
【請求項４】
前記警報装置は、前記振動制御読取装置が識別体から情報を受信した際に前記識別体の振動部を振動させた後に前記識別体の操作部が操作された場合に、前記識別体の振動部の振動を停止させる請求項３に記載の入退室管理システム。
【請求項５】
前記管理領域の出入口から前記部屋の出入口までの間に設定された異常経路とは異なる正常経路に設けられた正常経路読取装置、
を備え、
前記警報装置は、前記振動制御読取装置が識別体から情報を受信した際に前記識別体の振動部を振動させた後に前記正常経路読取装置が前記識別体から情報を受信した場合に、前記識別体の振動部の振動を停止させる請求項２から請求項４のいずれか一項に記載の入退室管理システム。
【発明の詳細な説明】
【技術分野】
【０００１】
この発明は、入退室管理システムに関する。
【背景技術】
【０００２】
特許文献１には、入退室管理システムが記載されている。当該入退室管理システムは、識別体から受信した識別情報に基づいて入退室を管理する。この際、利用者は、識別体を読取装置にかざす等の操作を行わなくても入退室することができる。
【先行技術文献】
【特許文献】
【０００３】
【特許文献１】特開２０１３−２５３７７号公報
【発明の概要】
【発明が解決しようとする課題】
【０００４】
しかしながら、特許文献１に記載のものにおいては、利用者は、特別な操作をすることなく入室することができる。このため、不審者に入室を強制された場合でも、利用者は、警報を送信することなく入室させられる。
【０００５】
この発明は、上述の課題を解決するためになされた。この発明の目的は、不審者に入室を強制された際に不審者に気付かれることなく警報を送信することができる入退室管理システムを提供することである。
【課題を解決するための手段】
【０００６】
この発明に係る入退室管理システムは、管理領域の出入口から前記管理領域の内部にある部屋の出入口までの間に設定された異常経路に設けられた異常経路読取装置と、前記異常経路読取装置が識別体から情報を受信した際にセンタ装置へ警報を送信する警報装置と、を備えた。
【発明の効果】
【０００７】
この発明によれば、警報装置は、異常経路読取装置が識別体から情報を受信した際にセンタ装置へ警報を送信する。この際、利用者は、特別な操作をしない。このため、不審者に入室を強制された際に不審者に気付かれることなく警報を送信することができる。
【図面の簡単な説明】
【０００８】
【図１】この発明の実施の形態１における入退室管理システムが適用される管理領域の平面図である。
【図２】この発明の実施の形態１における入退室管理システムの構成図である。
【図３】この発明の実施の形態１における入退室管理システムの動作を説明するためのフローチャートである。
【発明を実施するための形態】
【０００９】
この発明を実施するための形態について添付の図面に従って説明する。なお、各図中、同一又は相当する部分には、同一の符号が付される。当該部分の重複説明は適宜に簡略化又は省略化される。
【００１０】
実施の形態１．
図１はこの発明の実施の形態１における入退室管理システムが適用される管理領域の平面図である。
【００１１】
図１において、管理領域１は、領域出入口１ａを備える。領域出入口１ａは、管理領域１の内部と外部との境界に設けられる。領域扉１ｂは、領域出入口１ａに設けられる。領域電気錠１ｃは、領域扉１ｂに設けられる。領域読取装置１ｄは、管理領域１の外側に設けられる。領域読取装置１ｄは、領域出入口１ａに対応して設けられる。領域読取装置１ｄは、領域出入口１ａの近くに設けられる。
【００１２】
管理領域１は、複数の部屋を備える。例えば、複数の部屋は、第１共用部屋２、第２共用部屋３、第１管理部屋４、第２管理部屋５からなる。第１共用部屋２は、領域出入口１ａの正面に設けられる。第２共用部屋３は、第１共用部屋２の奥の側に隣接する。第１管理部屋４は、第２共用部屋３よりも奥の一側に設けられる。第２管理部屋５は、第２共用部屋３よりも奥の他側に設けられる。
【００１３】
第１共用出入口２ａは、第１共用部屋２に設けられる。第１共用扉２ｂは、第１共用出入口２ａに設けられる。第２共用出入口３ａは、第２共用部屋３に設けられる。第２共用扉３ｂは、第２共用出入口３ａに設けられる。
【００１４】
第１管理出入口４ａは、第１管理部屋４に設けられる。第１管理扉４ｂは、第１管理出入口４ａに設けられる。第１管理電気錠４ｃは、第１管理扉４ｂに設けられる。第１管理読取装置４ｄは、第１管理出入口４ａに対応して設けられる。第１管理読取装置４ｄは、第１管理出入口４ａの近くに設けられる。
【００１５】
第２管理出入口５ａは、第２管理部屋５に設けられる。第２管理扉５ｂは、第２管理出入口５ａに設けられる。第２管理電気錠５ｃは、第２管理扉５ｂに設けられる。第２管理読取装置５ｄは、第２管理出入口５ａに対応して設けられる。第２管理読取装置５ｄは、第２管理出入口５ａの近くに設けられる。
【００１６】
管理領域１は、複数の経路を備える。例えば、第１経路６は、領域出入口１ａと第２管理出入口５ａとの間に設定される。第１経路６は、第１共用部屋２の前方と第２共用部屋３の前方とを経由するように設定される。例えば、第２経路７は、領域出入口１ａと第２管理出入口５ａとの間に設定される。第２経路７は、第１共用部屋２の後方と第２共用部屋３の後方とを経由するように設定される。
【００１７】
経路読取装置の各々は、経路の各々に設けられる。例えば、第１経路読取装置６ａは、第１経路６に設けられる。例えば、第２経路読取装置７ａは、第２経路７に設けられる。
【００１８】
例えば、制御装置８は、ＩＤコントローラからなる。制御装置８は、正常経路の情報を識別情報に対応付けて記憶する。例えば、制御装置８は、領域読取装置１ｄ、第２経路読取装置７ａ、第２管理読取装置５ｄの順での並びの情報を正常経路の情報として記憶する。制御装置８は、ホールドアップルートとして異常経路の情報を識別情報に対応付けて記憶する。例えば、制御装置８は、領域読取装置１ｄ、第１経路読取装置６ａ、第１管理読取装置４ｄ、第２管理読取装置５ｄの順での並びの情報を異常経路の情報として記憶する。
【００１９】
制御装置８の入力部は、領域読取装置１ｄの出力部と第１管理読取装置４ｄの出力部と第２管理読取装置５ｄの出力部と第１経路読取装置６ａの出力部と第２経路読取装置７ａの出力部とに接続される。制御装置８の出力部は、領域電気錠１ｃの入力部と第１管理電気錠４ｃの入力部と第２管理電気錠５ｃの入力部とに接続される。
【００２０】
センタ装置９は、建築物の管理室等に設けられる。センタ装置９の入力部は、制御装置８の出力部に接続される。
【００２１】
通行者は、識別体１０を携帯する。例えば、識別体１０は、ＨＦ帯のＲＦＩＤタグからなる。識別体１０は、振動部１０ａと操作部１０ｂとを備える。識別体１０は、識別情報を記憶する。
【００２２】
通常時において、通行者は、第２経路７を経由して第２管理部屋５に行けばよい。この場合、通行者が領域読取装置１ｄの電波範囲１ｅに入ると、識別体１０は、識別情報を領域読取装置１ｄに送信する。領域読取装置１ｄは、当該識別情報を受信する。領域読取装置１ｄは、当該識別情報を制御装置８に送信する。制御装置８は、当該識別情報を照合する。
【００２３】
制御装置８は、照合結果に基づいて通行者を認証した場合に領域電気錠１ｃに解錠信号を送信する。その結果、領域電気錠１ｃは解かれる。制御装置８は、照合結果に基づいて通行者を認証しない場合に領域電気錠１ｃに解錠信号を送信しない。その結果、電気錠は解かれない。制御装置８は、当該識別情報の照合結果、通行履歴等をセンタ装置９に送信する。
【００２４】
その後、通行者が第２経路読取装置７ａの電波範囲７ｂに入ると、識別体１０は、識別情報を第２経路読取装置７ａに送信する。第２経路読取装置７ａは、当該識別情報を受信する。第２経路読取装置７ａは、当該識別情報を制御装置８に送信する。制御装置８は、当該識別情報を照合する。制御装置８は、通行者が正常経路に入ったことを認識する。
【００２５】
その後、通行者が第２管理読取装置５ｄの電波範囲５ｅに入ると、識別体１０は、識別情報を第２管理読取装置５ｄに送信する。第２管理読取装置５ｄは、当該識別情報を受信する。第２管理読取装置５ｄは、当該識別情報を制御装置８に送信する。制御装置８は、当該識別情報を照合する。
【００２６】
制御装置８は、照合結果に基づいて通行者を認証した場合に第２管理電気錠５ｃに解錠信号を送信する。その結果、第２管理電気錠５ｃは解かれる。制御装置８は、照合結果に基づいて通行者を認証しない場合に第２管理電気錠５ｃに解錠信号を送信する。その結果、第２管理電気錠５ｃは解かれない。制御装置８は、当該識別情報の照合結果、通行履歴等をセンタ装置９に送信する。
【００２７】
不審者に入室を強制された際、通行者は、第１経路６を経由して第２管理部屋５に行けばよい。この場合、通行者が第１経路読取装置６ａの電波範囲６ｂに入ると、識別体１０は、識別情報を第１経路読取装置６ａに送信する。第１経路読取装置６ａは、異常経路読取装置として当該識別情報を受信する。第１経路読取装置６ａは、振動制御読取装置として当該識別情報を制御装置８に送信する。制御装置８は、通行者が異常経路に入ったことを認識する。この際、制御装置８は、識別体１０の振動部１０ａをパターンＡで振動させる。
【００２８】
その後、通行者が第１管理読取装置４ｄの電波範囲４ｅに入ると、識別体１０は、識別情報を第１管理読取装置４ｄに送信する。第１管理読取装置４ｄは、異常経路読取装置として当該識別情報を受信する。第１管理読取装置４ｄは、警報制御読取装置として当該識別情報を制御装置８に送信する。制御装置８は、通行者が異常経路を進んでいることを認識する。この際、制御装置８は、警報装置としてセンタ装置９に警報を送信する。制御装置８は、識別体１０の振動部１０ａをパターンＡとは異なるパターンＢで振動させる。
【００２９】
通行者は、間違って第１経路６を進んでいることに気付いた場合に識別体１０の操作部１０ｂを押せばよい。この場合、識別体１０は、振動停止信号を送信する。第１経路読取装置６ａは、当該振動停止信号を受信する。第１経路読取装置６ａは、当該振動停止信号を制御装置８に送信する。制御装置８は、当該振動停止信号に基づいて識別体１０の振動部１０ａの振動は停止させる。その後、通行者が第１管理読取装置４ｄの電波範囲４ｅに入っても、制御装置８は、センタ装置９に警報を送信しない。
【００３０】
通行者は、間違って第１経路６を進んでいることに気付いた場合に第２経路７に戻ってもよい。この場合、第２経路読取装置７ａの電波範囲７ｂに入ると、識別体１０は、当該識別情報を第２経路読取装置７ａに送信する。第２経路読取装置７ａは、正常経路読取装置として当該識別情報を受信する。第２経路読取装置７ａは、当該識別情報を制御装置８に送信する。制御装置８は、通行者が正常経路に戻ったことを認識する。この際、制御装置８は、識別体１０の振動部１０ａの振動を停止させる。
【００３１】
次に、図２を用いて、領域読取装置１ｄ等の詳細を説明する。
図２はこの発明の実施の形態１における入退室管理システムの構成図である。
【００３２】
図２に示すように、領域読取装置１ｄは、アンテナ１１ａと受信装置１１ｂとを備える。アンテナ１１ａは、電波を出力する。電波範囲１ｅは、当該電波の出力値が予め設定された値以上の範囲となる。識別体１０は、電波範囲１ｅに入った際に識別情報を送信する。受信装置１１ｂは、当該識別情報を受信する。受信装置１１ｂは、当該識別情報を制御装置８に送信する。
【００３３】
第１管理読取装置４ｄは、領域読取装置１ｄと同様にアンテナ１１ａと受信装置１１ｂとを備える。第２管理読取装置５ｄは、領域読取装置１ｄと同様にアンテナ１１ａと受信装置１１ｂとを備える。第１経路読取装置６ａは、領域読取装置１ｄと同様にアンテナ１１ａと受信装置１１ｂとを備える。第２経路読取装置７ａは、領域読取装置１ｄと同様にアンテナ１１ａと受信装置１１ｂとを備える。
【００３４】
次に、図３を用いて、入退室管理システムの動作を説明する。
図３はこの発明の実施の形態１における入退室管理システムの動作を説明するためのフローチャートである。
【００３５】
ステップＳ１では、管理者は、異常経路を制御装置８に登録する。その後、ステップＳ２に進み、制御装置８は、通行者が領域読取装置１ｄの電波範囲１ｅに入ったか否かを判定する。ステップＳ２で通行者が領域読取装置１ｄの電波範囲１ｅに入っていない場合は、ステップＳ２が繰り返される。ステップＳ２で通行者が領域読取装置１ｄの電波範囲１ｅに入った場合は、ステップＳ３に進む。ステップＳ３では、制御装置８は、通行者が第２経路読取装置７ａの電波範囲７ｂに入ったか否かを判定する。
【００３６】
ステップＳ３で通行者が第２経路読取装置７ａの電波範囲７ｂに入った場合は、ステップＳ４に進む。ステップＳ４では、通行者は、第２管理読取装置５ｄの電波範囲５ｅに入る。その後、ステップＳ５に進み、制御装置８は、通行者の識別体１０を認証する。その結果、通行者は、第２管理部屋５へ入ることを許可される。その後、動作が終了する。
【００３７】
ステップＳ３で通行者が第２経路読取装置７ａの電波範囲７ｂに入っていない場合は、ステップＳ６に進む。ステップＳ６では、通行者は、第１経路読取装置６ａの電波範囲６ｂに入る。その後、ステップＳ７に進み、制御装置８は、識別体１０の振動部１０ａをパターンＡで振動させる。その後、ステップＳ８に進み、制御装置８は、識別体１０の操作部１０ｂが押されたか否かを判定する。
【００３８】
ステップＳ８で識別体１０の操作部１０ｂが押された場合は、ステップＳ９に進む。ステップＳ９では、制御装置８は、識別体１０の振動部１０ａの振動を停止させる。その後、ステップＳ１０に進み、通行者は、第１管理読取装置４ｄの電波範囲４ｅに入る。その後、ステップ４以降の動作が行われる。
【００３９】
ステップＳ８で識別体１０の操作部１０ｂが押されていない場合は、ステップＳ１１に進む。ステップＳ１１では、制御装置８は、通行者が第１管理読取装置４ｄの電波範囲４ｅに入ったか否かを判定する。
【００４０】
ステップＳ１１で通行者が第１管理読取装置４ｄの電波範囲４ｅに入った場合は、ステップＳ１２に進む。ステップＳ１２では、制御装置８は、センタ装置９に警報を送信する。その後、ステップＳ１３に進み、制御装置８は、識別体１０の振動部１０ａの振動を変化させる。その後、ステップＳ４以降の動作が行われる。
【００４１】
ステップＳ１１で通行者が第１管理読取装置４ｄの電波範囲４ｅに入っていない場合は、ステップＳ１４に進む。ステップＳ１４では、通行者は、第２経路読取装置７ａの電波範囲７ｂに入る。その後、ステップＳ１５に進み、制御装置８は、識別体１０の振動部１０ａの振動を停止させる。その後、ステップＳ１６に進み、制御装置８は、通行者が第２管理読取装置５ｄの電波範囲５ｅに入ったか否かを判定する。
【００４２】
ステップＳ１６で通行者が第２管理読取装置５ｄの電波範囲５ｅに入った場合は、ステップＳ５以降の動作が行われる。ステップＳ１６で通行者が第２管理読取装置５ｄの電波範囲５ｅに入っていない場合は、ステップＳ６以降の動作が行われる。
【００４３】
以上で説明した実施の形態１によれば、制御装置８は、異常経路として設定された第１経路６の第１管理読取装置４ｄから識別情報を受信した際にセンタ装置９へ警報を送信する。この際、利用者は、特別な操作をしない。このため、不審者に入室を強制された際に不審者に気付かれることなく警報を送信することができる。
【００４４】
また、制御装置８は、第１経路読取装置６ａが識別体１０から識別情報を受信した際に識別体１０の振動部１０ａを振動させる。このため、利用者は、警報がセンタ装置９に送信されることを認識できる。
【００４５】
また、利用者は、識別体１０の操作部１０ｂを操作することにより識別体１０の振動部１０ａを停止させることができる。この際、制御装置８は、センタ装置９に警報を送信しない。このため、利用者が例外的に第１経路６を通過して第２管理部屋５に入ることを希望する場合に、警報がセンタ装置９に送信されることを防止できる。
【００４６】
また、利用者は、正常経路として設定された第２経路７に戻ることにより識別体１０の振動部１０ａの振動を停止させることができる。このため、利用者が間違って第１経路６に入ったことを認識した場合に、警報がセンタ装置９に送信されることを防止できる。
【符号の説明】
【００４７】
１  管理領域、  １ａ  領域出入口、  １ｂ  領域扉、  １ｃ  領域電気錠、  １ｄ  領域読取装置、  ２  第１共用部屋、  ２ａ  第１共用出入口、  ２ｂ  第１共用扉、  ３  第２共用部屋、  ３ａ  第２共用出入口、  ３ｂ  第２共用出入口、  ４  第１管理部屋、  ４ａ  第１管理出入口、  ４ｂ  第１管理扉、  ４ｃ  第１管理電気錠、  ４ｄ  第１管理読取装置、  ５  第２管理部屋、  ５ａ  第２管理出入口、  ５ｂ  第２管理扉、  ５ｃ  第２管理電気錠、  ５ｄ  第２管理読取装置、  ６  第１経路、  ６ａ  第１経路読取装置、  ７  第２経路、  ７ａ  第２経路読取装置、  ８  制御装置、  ９  センタ装置、  １０  識別体、  １０ａ  振動部、  １０ｂ  操作部、  １１ａ  アンテナ、  １１ｂ  受信装置
【図１】
2015184720.tif 000003
【図２】
2015184720.tif 000004
【図３】
2015184720.tif 000005